(57)【要約】  フロントエンド並列共振スイッチ（１０２）が開示される。典型的な実施形態において、装置は、第１のＲＦ送信（１１２）をアンテナ（１１０）に結合するように構成された誘導子（Ｌ２）及びキャパシタ（ＣＩ）と、第１のＲＦ送信（１１２）をアンテナ（１１０）から送信するときにマッチングネットワークを形成するために誘導子（Ｌ２）をキャパシタ（ＣＩ）に接続し、及び、第２のＲＦ送信（１２２）をアンテナ（１１０）から送信するときに並列共振回路を形成するために誘導子（Ｌ２）をキャパシタ（ＣＩ）に接続するように構成された少なくとも１つのスイッチ（ＳＷ１、ＳＷ２、ＳＷ３）と、を含む。共振スイッチは、インラインモードスイッチの使用に関連する挿入損失を排除するためにインラインモードスイッチを使用せずに動作する。共振スイッチは、信号劣化を低減させるために他方の送信信号に対する一方の送信信号の負荷上の影響を制御するようにも動作する。
2015529067.tif 000002
【特許請求の範囲】
【請求項１】
装置であって、
第１のＲＦ送信をアンテナに結合するように構成された誘導子及びキャパシタと、
前記第１のＲＦ送信を前記アンテナから送信するときにマッチングネットワークを形成するために前記誘導子を前記キャパシタに接続するように、及び、第２のＲＦ送信を前記アンテナから送信するときに並列共振回路を形成するために前記誘導子を前記キャパシタに接続するように構成された少なくとも１つのスイッチと、を備える、装置。
【請求項２】
前記少なくとも１つのスイッチは、前記マッチングネットワークを形成するために前記誘導子を前記キャパシタに直列に接続するように構成される請求項１に記載の装置。
【請求項３】
前記少なくとも１つのスイッチは、前記並列共振回路を形成するために前記誘導子を前記キャパシタに並列に接続するように構成される請求項１に記載の装置。
【請求項４】
送信モード信号に基づいて前記少なくとも１つのスイッチを制御するように構成されたコントローラをさらに備える請求項１に記載の装置。
【請求項５】
前記誘導子は、変圧器の出力誘導子を備え、前記変圧器は、前記第１のＲＦ送信を差動信号として受信するように構成される請求項１に記載の装置。
【請求項６】
前記誘導子は、前記第１のＲＦ送信をシングルエンド信号として受信するように構成される請求項１に記載の装置。
【請求項７】
前記第１のＲＦ送信は、Ｂｌｕｅｔｏｏｔｈ（ＢＴ）送信を備え、前記第２のＲＦ送信は、無線ローカルエリアネットワーク（ＷＬＡＮ）送信を備える請求項１に記載の装置。
【請求項８】
前記少なくとも１つのスイッチは、
前記誘導子の第２の誘導子端子に接続され、前記第２の誘導子端子を選択的にアースに接続するように動作可能な第１のスイッチであって、前記誘導子は、第１の誘導子端子が前記キャパシタの第１のキャパシタ端子に接続されている第１のスイッチと、
前記第２の誘導子端子に接続され、前記第２の誘導子端子を前記キャパシタの第２のキャパシタ端子に及び前記アンテナに選択的に接続するように動作可能である第２のスイッチと、
前記第１の誘導子端子に接続され、前記第１の誘導子端子を前記アースに選択的に接続するように動作可能である第３のスイッチと、を備える請求項１に記載の装置。
【請求項９】
前記第１、第２及び第３のスイッチは、前記マッチングネットワークを形成するために直列に及び前記並列共振回路を形成するために並列に前記誘導子を前記キャパシタに接続するように構成される請求項８に記載の装置。
【請求項１０】
前記第１、第２及び第３のスイッチは、前記アンテナから第３のＲＦ送信を受信するときに前記並列共振回路を形成するために前記誘導子を前記キャパシタに並列に接続するように構成される請求項８に記載の装置。
【請求項１１】
送信モード信号に基づいて前記第１、第２、及び第３のスイッチを選択的に開閉するように構成されたコントローラをさらに備える請求項８に記載の装置。
【請求項１２】
方法であって、
送信モードインジケータを受信することと、
前記送信モードインジケータによって第１の送信モードが示された場合は、アンテナからの第１のＲＦ送信中にマッチングネットワークを形成することと、
前記送信モードインジケータによって第２の送信モードが示された場合は、前記アンテナからの第２のＲＦ送信中に前記マッチングネットワークを並列共振回路に切り換えることと、を備える、方法。
【請求項１３】
前記形成することは、前記マッチングネットワークを形成するために誘導子をキャパシタに直列に接続することを備える請求項１２に記載の方法。
【請求項１４】
前記切り換えることは、前記並列共振回路を形成するために前記誘導子を前記キャパシタに並列に接続することを備える請求項１３に記載の方法。
【請求項１５】
第３の送信モードが希望される場合に、前記アンテナから第３のＲＦ送信を受信するために前記並列共振回路を利用することをさらに備える請求項１２に記載の方法。
【請求項１６】
装置であって、
送信モードインジケータを受信するための手段と、
前記送信モードインジケータによって第１の送信モードが示された場合は、アンテナからの第１のＲＦ送信中にマッチングネットワークを形成するための手段と、
前記送信モードインジケータによって第２の送信モードが示された場合は、前記アンテナからの第２のＲＦ送信中に前記マッチングネットワークを並列共振回路に切り換えるための手段と、を備える、装置。
【請求項１７】
形成するための前記手段は、前記マッチングネットワークを形成するために誘導子をキャパシタに直列に接続するための手段を備える請求項１６に記載の装置。
【請求項１８】
切り換えるための前記手段は、前記並列共振回路を形成するために前記誘導子を前記キャパシタに並列に接続するための手段を備える請求項１７に記載の装置。
【請求項１９】
前記送信モードインジケータによって第３の送信モードが示される場合に、前記アンテナから第３のＲＦ送信を受信するために前記並列共振回路を利用するための手段をさらに備える請求項１６に記載の装置。
【請求項２０】
前記第１のＲＦ送信は、Ｂｌｕｅｔｏｏｔｈ（ＢＴ）送信を備え、前記第２のＲＦ送信は、無線ローカルエリアネットワーク（ＷＬＡＮ）送信を備える請求項１６に記載の装置。
【発明の詳細な説明】
【技術分野】
【０００１】
［０００１］本出願は、概して、電子回路の動作及び設計に関するものである。本出願は、より具体的には、アナログフロントエンドの動作及び設計に関するものである。
【背景技術】
【０００２】
［０００２］従来のマルチバンドフロントエンドは、１つの電力増幅器及びマッチングネットワークを使用する。複数の帯域のうちの１つを可能にするために複数の信号経路の中から選択するためにモードスイッチが使用される。モードスイッチからの挿入損失は、フロントエンドの全体的な効率の劣化の一因になる。従って、この挿入損失を排除することが望ましい。
【０００３】
［０００３］幾つかのフロントエンドは、複数の電力増幅器を提供する組み合わせチップを利用し、各電力増幅器は、選択された帯域において信号を駆動する。増幅器出力部は、増幅器出力部をアンテナに結合する共通のＲＦ入力／出力（ＲＦＩＯ）端子を共有する。その他の経路に対する１つの経路の負荷上の影響を管理することは非常な難題である。
【０００４】
［０００４］従って、その他の送信経路に対する１つの経路の負荷上の影響を制御しつつ複数の電力増幅器出力部間での切り換えを可能にする新規のフロントエンド並列共振スイッチが開示される。
【図面の簡単な説明】
【０００５】
［０００５］ここにおいて説明される上記の態様は、添付された図面と関連させて以下の説明を参照することによってより容易に明確になるであろう。
【図１】［０００６］新規の並列共振スイッチを備えるフロントエンドの典型的な実施形態を例示した図である。
【図２】［０００７］図１において示される共振スイッチの詳細な典型的な実施形態を示した図である。
【図３】［０００８］コントローラの典型的な実施形態を示した図である。
【図４】［０００９］挿入損失を最小にするための及び信号経路負荷を制御するための並列共振スイッチを提供するための典型的な方法を示した図である。
【図５】［００１０］シングルエンドシステムにおける使用のための並列共振スイッチの詳細な典型的な実施形態を示した図である。
【図６】［００１１］並列共振スイッチ装置の典型的な実施形態を示した図である。
【発明を実施するための形態】
【０００６】
［００１２］添付された図面と関連させて以下において示される詳細な発明を実施するための形態は、本発明の典型的な実施形態に関する説明であることが意図され、本発明を実践することができる唯一の実施形態を表すことは意図されない。この説明全体を通じて使用される語句“典型的な”は、“１つの例、事例、又は実例を提供すること”を意味するためにここにおいて用いられ、その他の典型的な実施形態よりも好ましい又は有利であるとは必ずしも解釈されるべきではない。発明を実施するための形態は、本発明の典型的な実施形態に関する徹底的な理解を提供することを目的とした具体的な詳細を含む。本発明の典型的な実施形態は、これらの具体的な詳細なしで実践できることが当業者にとって明らかであろう。幾つかの例では、非常によく知られた構造及びデバイスは、ここにおいて提示される典型的な実施形態の新規性を曖昧にすることを回避するためにブロック図形で示される。
【０００７】
［００１３］図１は、新規の並列共振スイッチ１０２を備えるフロントエンド１００の典型的な実施形態を例示する。例えば、フロントエンド１００は、無線デバイスにおける使用に適する。フロントエンド１００は、ＷＬＡＮ送信（Ｔｘ）信号１２２を出力するＷＬＡＮ電力増幅器（ＰＡ）１０４と、ＢＴ  Ｔｘ信号１２４を出力するＢｌｕｅｔｏｏｔｈ（登録商標）（ＢＴ）電力増幅器１０６と、を備える。ＷＬＡＮ−Ｔｘ信号１２２は、ＲＦＩＯ端子１０８において受信され、それは、アンテナ１１０にさらに接続される。ＢＴ  Ｔｘ信号１２４は、並列共振スイッチ１０２において受信され、それは、ＲＦＩＯ端子１０８においても受信されるスイッチ出力信号１１２を出力する。
【０００８】
［００１４］共振スイッチ１０２は、無線デバイスにおける他のエンティティ、例えば、ベースバンド（ＢＢ）プロセッサ、からＴｘモード制御信号１１６を受信するコントローラ１１４を備え、このＴｘモード制御信号１１６を使用してスイッチ出力信号１１２を生成する。アンテナから２つの受信された（Ｒｘ）信号（すなわち、ＢＴ−Ｒｘ１１８及びＷＬＡＮ−Ｒｘ１２０）を受信するためにＲＦＩＯ端子１０８も結合され、それらの信号は、無線デバイスの受信機回路に渡される。以下においてさらに詳細に説明されるように、共振スイッチ１０２は、インラインモードスイッチの使用に関係する挿入損失を排除するためにインラインモードスイッチを使用せずに２つの送信信号（１２２及び１１２）の間で切り換えるように動作する。共振スイッチ１０２は、信号劣化を低減させるために他方の送信信号に対する一方の送信信号の負荷上の影響を制御するようにも動作する。
【０００９】
［００１５］図２は、図１に示される共振スイッチ１０２の詳細な典型的な実施形態を示す。共振スイッチ１０２は、入力誘導子Ｌ１及び出力誘導子Ｌ２を有する変圧器２０２を備える。入力誘導子Ｌ１は、ＢＴ  Ｔｘ信号１２４を出力するＢＴ−ＰＡ１０６に結合される。誘導子Ｌ２は、第１の端子がスイッチ（ＳＷ１）の第１の端子及び第２のスイッチ（ＳＷ２）の第１の端子に接続されている。誘導子Ｌ２は、第２の端子が第３のスイッチ（ＳＷ３）の第１の端子及びキャパシタ（Ｃ１）の第１の端子に接続されている。キャパシタ（Ｃ１）は、第２の端子が第２のスイッチ（ＳＷ２）の第２の端子に接続されており、ＲＦＩＯ端子１０８に接続されるスイッチ出力信号１１２を出力する。第１のスイッチ（ＳＷ１）及び第３のスイッチ（ＳＷ３）は、第２の端子がアースに接続されている。コントローラ１１４は、スイッチＳＷ１、ＳＷ２、及びＳＷ３を制御する（すなわち、開閉する）ために動作する３つのスイッチ制御信号（ｓｗ１、ｓｗ２、及びｓｗ３）を出力する。図２においてさらに例示されるように、ＲＦＩＯ端子１０８は、スイッチ出力１１２、ＷＬＡＮ  Ｔｘ１２２、ＢＴ  Ｒｘ１１８及びＷＬＡＮ  Ｒｘ１２０信号の間で共有される。
【００１０】
［００１６］動作中は、変圧器２０２は、スイッチＳＷ１及びＳＷ３を用いてアースポート位置を変更することによってモードスイッチとして機能する。スイッチＳＷ１及びＳＷ３は、アースに接続されているため、それらは、挿入損失はほとんどまったく生じさせない。コントローラ１１４は、Ｔｘモード信号１１６に基づいてスイッチ制御信号（ｓｗ１、ｓｗ２、及びｓｗ３）を生成するために動作する。Ｔｘモード信号１１６は、以下のモードのうちのいずれかを示すように設定することができる。
【００１１】
ＢＴ送信モード
［００１７］ＢＴ送信モードにおいて、コントローラは、スイッチＳＷ１のみが閉じられ、スイッチＳＷ２及びスイッチＳＷ３が開いているようにスイッチ制御信号（ｓｗ１、ｓｗ２、及びｓｗ３）を出力する。ＢＴ  Ｔｘ信号１２４の出力電力は、結合キャップＣ１を通じでＲＦＩＯ端子１０８に結合される。このモードでは、ＷＬＡＮ  ＰＡ１０４はオフ状態であり、このため、ＲＦＩＯ端子１０８にはＷＬＡＮ  Ｔｘ信号１２２は存在しない。ＳＷ１スイッチは閉じられており及び（信号経路内ではなく）アースへの経路内に置かれるため、ドレイン−ソース間には非常に小さいＲＦ信号が現れ、小さい“オン”抵抗のみを呈し、良好な直線性を提供する。
【００１２】
ＷＬＡＮ送信モード
［００１８］ＷＬＡＮ  Ｔｘモードでは、スイッチＳＷ２及びＳＷ３は閉じられ、スイッチＳＷ１は開いており、ＢＴ−ＰＡ１０６はオフである。従って、誘導子Ｌ２及びキャパシタＣ１は、ＲＦＩＯ端子１０８において高いインピーダンスを提示するためにＷＬＡＮ  ＰＡ１０４の動作周波数で共振するように構成された並列共振回路を形成するために並列に接続される。この並列共振回路は、スイッチ（ＳＷ１乃至ＳＷ３）が利用されなかった場合にＷＬＡＮ  ＰＡ１０４の出力電力が変圧器２０２と関連付けられた本来であれば低い出力のインピーダンス間で浪費されるのを防止する。さらに、閉じられたスイッチＳＷ３は、スイッチ前後で非常に低い電圧スイング（ｖｏｌｔａｇｅ  ｓｗｉｎｇ）を維持し、それは、ＷＬＡＮ  ＰＡ１０４の出力の大きな電圧スイングの下でのスイッチの破壊を防止する。
【００１３】
ＢＴ又はＷＬＡＮ受信モード
［００１９］ＢＴ又はＷＬＡＮ受信モードでは、上述されるようにスイッチＳＷ２及びＳＷ３は閉じられ、スイッチＳＷ１は開いている。ＲＦＩＯ端子１０８におけるインピーダンスは、Ｌ２及びＣ１によって形成された並列共振回路によって増大され、多くのＲｘ入力電力は浪費されない。
【００１４】
［００２０］ここにおいて説明される典型的な実施形態は、その他の信号に対するイネーブルにされた送信信号の負荷上の影響を低減させつつ、複数の送信信号（１２２及び１１２）と複数の受信信号（１８０及び１２０）の間で共通の端子（ＲＦＩＯ１０８）を共有するメカニズムを開示する。負荷上の影響が低減される一方で、スイッチが信号経路内に存在しないためＴＸスイッチの損傷が低減される。要約すると、スイッチＳＷ１乃至ＳＷ３は、第１のＲＦ送信（出力信号１１２）をアンテナから送信するときにマッチングネットワークを形成するために誘導子Ｌ２及びキャパシタＣ１を接続し、及び、第２のＲＦ送信（ＷＬＡＮ  Ｔｘ信号１２２）をアンテナから送信するときに並列共振回路を形成するために誘導子Ｌ２及びキャパシタＣ１を接続するように構成される。並列共振スイッチ１０２は、向上された直線性を提供し及びＢＴ  ＰＡ１０６が使用されていないときに合理的に高い出力インピーダンスを提供する。
【００１５】
［００２１］図３は、コントローラ１１４の典型的な実施形態を示す。コントローラ１１４は、プロセッサ３０２と、スイッチインタフェース３０４と、を備え、両方ともバス３０６を介して通信するために結合される。コントローラ１１４は、１つの実装であるにすぎないこと及びその他の実装が可能であることが注目されるべきである。
【００１６】
［００２２］スイッチインタフェース３０４は、ハードウェア及び／又は特定の動作モードをイネーブルにするためにコントローラ１１４がスイッチ制御信号（ｓｗ１、ｓｗ２、及びｓｗ３）を設定するのを可能にするために動作するハードウェア実行ソフトウェアを備える。例えば、スイッチ制御信号（ｓｗ１、ｓｗ２、及びｓｗ３）は、上述される動作モードをイネーブルにするために設定される。スイッチインタフェース３０４は、バス３０６を用いてプロセッサ３０２と通信することによって制御される。
【００１７】
［００２３］プロセッサ３０２は、ＣＰＵ、プロセッサ、ゲートアレイ、ハードウェアロジック、メモリ素子、及び／又はメモリ内に格納されるか又は具現化されたハードウェア実行ソフトウェアのうちの少なくとも１つを備える。プロセッサ３０２は、ここにおいて説明される機能を実行するためにスイッチインタフェース３０４を制御するように動作する。
【００１８】
［００２４］典型的な実施形態においては、プロセッサ３０２は、ベースバンドプロセッサ又はその他のエンティティから送信モード制御信号１１６を受信し、及び、上述されるように希望される動作モードをイネーブルにするために該当するスイッチを閉じて開くためにスイッチ制御信号（ｓｗ１、ｓｗ２、ｓｗ３）を生成するために送信モード制御信号１１６に基づいてスイッチインタフェース３０４を制御するように動作する。例えば、以下の表は、幾つかの動作モードと関連付けられたスイッチ位置を示す。
【００１９】
スイッチ    ＢＴ−Ｔｘ    ＷＬＡＮ−Ｔｘ    ＢＴ／ＷＬＡＮ  Ｒｘ
ＳＷ１          閉            開                  開
ＳＷ２          開            閉                  閉
ＳＷ３          開            閉                  閉
［００２５］図４は、挿入損失を最小にするための及び信号経路負荷を制御するための並列共振スイッチを提供するための典型的な方法４００を示す。例えば、方法４００は、図３に示されるコントローラ１１４による使用に適する。一実装においては、プロセッサ３０２は、コントローラ１１４が以下において説明される機能を実行するように制御するためにメモリにおいて格納又は具現化されているコード又は命令の１つ以上の組を実行する。
【００２０】
［００２６］ブロック４０２において、送信モード制御信号が受信される。例えば、プロセッサ３０２は、ベースバンドプロセッサから送信モード制御信号１１６を受信する。送信モード制御信号は、選択された動作モードを示し、それは、プロセッサ３０２によってイネーブルにされる。
【００２１】
［００２７］ブロック４０４において、送信モード制御信号がＷＬＡＮ  Ｔｘモードを示すかどうかに関する決定が行われる。プロセッサ３０２がこの決定を行う。ＷＬＡＮ  Ｔｘモードが希望されることを送信モード制御信号が示す場合は、方法はブロック４１０に進む。示さない場合は、方法はブロック４０６に進む。
【００２２】
［００２８］ブロック４１０において、スイッチ（ＳＷ１乃至ＳＷ３）は、ＷＬＡＮ  Ｔｘモードをイネーブルにするために設定される。典型的な実施形態においては、プロセッサ３０２は、上記のモード説明において示されるようにＳＷ１＝開、ＳＷ２＝閉、及びＳＷ３＝閉であるようにスイッチ制御信号（ｓｗ１、ｓｗ２、ｓｗ３）を設定するためにスイッチインタフェース３０４を制御する。
【００２３】
［００２９］ブロック４０４において、送信モード制御信号がＢＴ  Ｔｘモードを示すかどうかに関する決定が行われる。プロセッサ３０２がこの決定を行う。ＢＴ  Ｔｘモードが希望されることを送信モード制御信号が示す場合は、方法はブロック４１２に進む。示さない場合は、方法はブロック４０８に進む。
【００２４】
［００３０］ブロック４１２において、スイッチ（ＳＷ１乃至ＳＷ３）は、ＢＴ  Ｔｘモードをイネーブルにするために設定される。典型的な実施形態においては、プロセッサ３０２は、上記のモード説明において示されるようにＳＷ１＝閉、ＳＷ２＝開、及びＳＷ３＝開であるようにスイッチ制御信号（ｓｗ１、ｓｗ２、ｓｗ３）を設定するためにスイッチインタフェース３０４を制御する。
【００２５】
［００３１］ブロック４０４において、送信モード制御信号がＢＴ／ＷＬＡＮ  Ｒｘモードを示すかどうかに関する決定が行われる。プロセッサ３０２がこの決定を行う。ＢＴ／ＷＬＡＮ  Ｒｘモードが希望されることを送信モード制御信号が示す場合は、方法はブロック４１４に進む。示さない場合は、方法は終了する。
【００２６】
［００３２］ブロック４１４において、スイッチ（ＳＷ１乃至ＳＷ３）は、ＢＴ／ＷＬＡＮ  Ｒｘモードをイネーブルにするために設定される。典型的な実施形態においては、プロセッサ３０２は、上記のモード説明において示されるようにＳＷ１＝開、ＳＷ２＝閉、及びＳＷ３＝閉であるようにスイッチ制御信号（ｓｗ１、ｓｗ２、ｓｗ３）を設定するためにスイッチインタフェース３０４を制御する。
【００２７】
［００３３］従って、方法４００は、挿入損失を最小にするために及び送信信号経路負荷を制御するために並列共振スイッチを提供するための方法を提供する。方法４００は１つの実装にすぎないこと及び方法４００の動作は再編又は変更できるためその他の実装が可能であることが注目されるべきである。
【００２８】
［００３４］図５は、シングルエンドシステムでの使用のための並列共振スイッチ５００の詳細な典型的な実施形態を示す。共振スイッチ５００は、ＢＴ−ＰＡ５０４のシングルエンド出力を受信するために第１の端子５０２が接続されている誘導子Ｌ２を備える。第１の端子５０２は、キャパシタＣ１にも接続される。キャパシタＣ１の出力端子５０６は、ＲＦＩＯ端子５０８によって受信されるスイッチ出力信号１１２を出力し、ＲＦＩＯ端子５０８は、アンテナ５１０に結合される。誘導子Ｌ２の第２の端子５１２は、電源ＶＤＤにも接続される第１のスイッチ（ＳＷ１）に接続される。誘導子Ｌ２の第２の端子５１２は、キャパシタＣ１の端子５０６にも接続される第２のスイッチ（ＳＷ２）に接続される。コントローラ１１４は、受信されたＴｘモード信号１１６に基づいて２つのスイッチ制御信号（ｓｗ１及びｓｗ２）のみを生成するように変更される。図５においてさらに例示されるように、ＲＦＩＯ端子５０８は、スイッチ出力１１２、ＷＬＡＮ  Ｔｘ１２２、ＢＴ  Ｒｘ１１８及びＷＬＡＮ  Ｒｘ１２０信号の間で共有される。
【００２９】
［００３５］動作中において、コントローラ１１４は、以下の表によりＴｘモード信号１１６に基づいてスイッチ制御信号（ｓｗ１及びｓｗ２）を生成するために動作する。
【００３０】
スイッチ    ＢＴ−Ｔｘ    ＷＬＡＮ−Ｔｘ    ＢＴ／ＷＬＡＮ  Ｒｘ
ＳＷ１          閉            閉                  閉
ＳＷ２          開            閉                  閉
［００３６］図６は、並列共振スイッチ装置６００の典型的な実施形態を示す。例えば、装置６００は、図１乃至５において示される様々な態様及び実施形態を有する並列共振スイッチ１１４としての使用に適する。一態様においては、装置６００は、ここにおいて説明される機能を提供するように構成された１つ以上のモジュールによって実装される。例えば、一態様においては、各モジュールは、ハードウェア及び／又はハードウェア実行ソフトウェアを備える。
【００３１】
［００３７］装置６００は、送信モードインジケータを受信するための手段（６０２）を備える第１のモジュールを備え、それは、一態様においては、プロセッサ３０２を備える。
【００３２】
［００３８］装置６００は、第１の送信モードが送信モードインジケータによって示された場合に、アンテナからの第１のＲＦ送信中にマッチングネットワークを形成するための手段（６０４）を備える第２のモジュールも備え、それは、一態様においては、スイッチ（ＳＷ１、ＳＷ２、及びＳＷ３）を備える。
【００３３】
［００３９］装置６００は、第２の送信モードが送信モードインジケータによって示された場合に、アンテナからの第２のＲＦ送信中にマッチングネットワークを並列共振回路に切り換えるための手段（６０６）を備える第３のモジュールも備え、それは、一態様においては、スイッチ（ＳＷ１、ＳＷ２、及びＳＷ３）を備える。
【００３４】
［００４０］装置６００は、第３の送信モードが送信モードインジケータによって示された場合に、アンテナからの第３のＲＦ送信を受信するために並列共振回路を利用するための手段（６０８）を備える第４のモジュールも備え、それは、一態様においては、スイッチ（ＳＷ１、ＳＷ２、及びＳＷ３）を備える。
【００３５】
［００４１］当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。トランジスタのタイプ及び技術は、同じ結果を達成するために代えること、再編すること又はその他の形で変更することができることがさらに注記される。例えば、ＰＭＯＳトランジスタを利用する回路は、ＮＭＯＳトランジスタを使用するように変更することができ、逆も同様である。従って、ここにおいて開示される増幅器は、様々なトランジスタのタイプ及び技術を用いて実現することができ、図面において示されるトランジスタのタイプ及び技術には限定されない。例えば、トランジスタタイプ、例えば、ＢＪＴ、ＧａＡｓ、ＭＯＳＦＥＴ又はその他のトランジスタ技術を使用することができる。
【００３６】
［００４２］ここにおいて開示される実施形態と関係させて説明される様々な例示的な論理ブロック、モジュール、回路、及びアルゴリズムのステップは、電子ハードウェア、コンピュータソフトウェア、又は両方の組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本発明の典型的な実施形態の適用範囲からの逸脱を生じさせるものであるとは解釈されるべきではない。
【００３７】
［００４３］ここにおいて開示される実施形態と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【００３８】
［００４４］ここにおいて開示される実施形態と関係させて説明される方法又はアルゴリズムのステップは、直接ハードウェア内において、プロセッサによって実行されるソフトウェアモジュール内において、又はそれらの２つの組み合わせ内において具現化することが可能である。ソフトウェアモジュールは、ランダムアクセスメモリ（ＲＡＭ）、フラッシュメモリ、読み取り専用メモリ（ＲＯＭ）、消去可能プログラマブルＲＯＭ（ＥＰＲＯＭ）、電気的ＥＰＲＯＭ（ＥＥＰＲＯＭ）、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサが記憶媒体から情報を読み出すこと及び記憶媒体に情報を書き込むことができるようにプロセッサに結合される。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【００３９】
１つ以上の典型的な実施形態において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又はコードとして格納すること又は送信することができる。コンピュータによって読み取り可能な媒体は、非一時的なコンピュータ記憶媒体と、１つの場所から他へのコンピュータプログラムの転送を容易にするあらゆる媒体を含む通信媒体との両方を含む。非一時的な記憶媒体は、コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコードを命令又はデータ構造の形態で搬送又は格納するために用いることができ及びコンピュータによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組み合わせも、コンピュータによって読み取り可能な媒体の適用範囲内に含められるべきである。
【００４０】
［００４６］開示される典型的な実施形態に関する説明は、当業者が本発明を製造又は使用することを可能にするために提供される。本発明に対する様々な修正は、当業者にとって容易に明確になるであろう、及びここにおいて定められる一般原理は、本発明の精神又は適用範囲を逸脱せずにその他の変形に対しても適用することができる。以上のように、本発明は、ここにおいて示される典型的な実施形態に限定されることが意図されるものではなく、ここにおいて開示される原理及び新規の特徴に一致する限りにおいて最も広範な適用範囲が認められるべきである。
【図１】
2015529067.tif 000003
【図２】
2015529067.tif 000004
【図３】
2015529067.tif 000005
【図４】
2015529067.tif 000006
【図５】
2015529067.tif 000007
【図６】
2015529067.tif 000008
【国際調査報告】
2015529067.tif 000009
2015529067.tif 000010
2015529067.tif 000011